(57)【要約】  機器（１００）は、機器（１００）の筐体の背面において支持レールを挟み込むように支持レールの幅方向に一定距離隔てて互いに対向して配置され、それぞれの少なくとも一方が支持レールを挟み込む方向に付勢された状態で、支持レールの幅方向に移動可能に配置される一対のスライダ（１ａ），（１ｂ）を備える。一対のスライダ（１ａ），（１ｂ）のそれぞれは、互いに向かい合う対向面（４ａ），（４ｂ）と、対向面（４ａ），（４ｂ）に設けられ、対向面（４ａ），（４ｂ）から他方のスライダ（１ａ），（１ｂ）に向かって突出する突起部（２ａ），（２ｂ）と、対向面（４ａ），（４ｂ）においてスライダ（１ａ），（１ｂ）の筐体側とは反対側の側面（１ａ１），（１ｂ１）と突起部（２ａ），（２ｂ）との間に設けられ、支持レールを側面（１ａ１），（１ｂ１）から突起部（２ａ），（２ｂ）側へ案内するガイド部（３ａ），（３ｂ）と、を有する。
2017081815.tif 000002
【特許請求の範囲】
【請求項１】
支持レールに取付けられる機器であって、
前記機器の筐体において前記支持レールを挟み込むように前記支持レールの幅方向に一定距離隔てて互いに対向して配置され、それぞれの少なくとも一方が前記支持レールの幅方向に移動可能に配置される一対の板形状のスライダを備え、
前記一対のスライダのそれぞれは、
互いに向かい合う対向面と、
前記対向面から他方のスライダに向かって突出する突起部と、
前記対向面において前記スライダの前記筐体側とは反対側の側面と前記突起部との間に設けられ、前記支持レールを前記側面から前記突起部側へ案内するガイド部と、
を有することを特徴とする機器。
【請求項２】
前記突起部は、前記ガイド部から前記突起部の先端部に向けて前記支持レールを案内する傾斜面を有することを特徴とする請求項１に記載の機器。
【請求項３】
前記ガイド部は、前記支持レールの幅方向における端部が嵌る凹部を有することを特徴とする請求項１または請求項２に記載の機器。
【請求項４】
前記一対のスライダの両方が、支持レールの幅方向に移動可能であることを特徴とする請求項１から請求項３のいずれか１項に記載の機器。
【請求項５】
支持レールに取付けられる機器であって、
前記機器の筐体において前記支持レールを挟み込むように配置された一対の部材を備え、
前記一対の部材のそれぞれは、
前記支持レールを挟み込む面から突出する突起部と、
前記挟み込む面において、前記突起部より前記筐体から離れた側に設けられ、前記支持レールを前記突起部側へ案内するガイド部と、を有し、
かつ、前記一対の部材の少なくとも一方、又は、当該一対の部材のそれぞれに設けられた前記突起部の少なくとも一方が、前記支持レールの幅方向に移動可能であることを特徴とする機器。
【発明の詳細な説明】
【技術分野】
【０００１】
本発明は、支持レールに取付けられる機器に関する。
【背景技術】
【０００２】
特許文献１に示される電子機器の取付構造は、電子機器の本体の背面側に基台を有する。基台は、その中央部に支持レールが嵌る溝と、溝の上側に形成され支持レールに係合する係合突部とを有する。また基台は、溝が伸びる方向と直交する方向に伸びる上側支持溝と、上側支持溝にスライド自在に嵌る第１の留め具と、溝が伸びる方向と直交する方向に伸びる下側支持溝と、下側支持溝にスライド自在に嵌る第２の留め具とを有する。【０００３】
そして電子機器の取付けの際には、電子機器を傾けた状態で係合突部が支持レールに引っ掛けられ、支持レールに係合突部が係合した状態で第１の留め具および第２の留め具を支持レール側にスライドさせる。これにより係合突部、第１の留め具、および第２の留め具が支持レールに係合し、電子機器が支持レールに固定される。
【先行技術文献】
【特許文献】
【０００４】
【特許文献１】特開２００３−２９８２５２号公報
【発明の概要】
【発明が解決しようとする課題】
【０００５】
しかし特許文献１に示される電子機器の取付構造では、電子機器の取付けの際に電子機器を傾けなければならず、支持レールが固定されているラックまたは壁面といった構造物に電子機器が干渉し、電子機器の取付けが困難な場合がある。【０００６】
本発明は、上記に鑑みてなされたものであって、傾けることなく支持レールへ取付けることが可能な機器を得ることを目的とする。
【課題を解決するための手段】
【０００７】
上述した課題を解決し、目的を達成するために、本発明の機器は、支持レールに取付けられる機器であって、機器の筐体において支持レールを挟み込むように支持レールの幅方向に一定距離隔てて互いに対向して配置され、それぞれの少なくとも一方が支持レールの幅方向に移動可能に配置される一対の板形状のスライダを備える。一対のスライダのそれぞれは、互いに向かい合う対向面と、対向面から他方のスライダに向かって突出する突起部と、対向面においてスライダの筐体側とは反対側の側面と突起部との間に設けられ、支持レールを側面から突起部側へ案内するガイド部と、を有する。
【発明の効果】
【０００８】
本発明に係る機器は、傾けることなく支持レールへ取付けることができるという効果を奏する。
【図面の簡単な説明】
【０００９】
【図１】本発明の実施の形態に係る機器の外観図
【図２】図１に示す機器が支持レールに固定された状態を示す図
【図３】図２に示す機器を側面から見た図
【図４】図３に示す一対のスライダの拡大図
【図５】図１に示すスライダを支持レールに接触させながら筐体を矢印の方向へ移動させている状態を示す図
【図６】図５に示す一対のガイド部の間に支持レールが嵌った状態を示す図
【図７】図６に示す支持レールが傾斜面に沿って筐体側に案内される状態を示す図
【図８】図７に示す支持レールが突起部の先端部に接した状態を示す図
【図９】図８に示す支持レールが突起部の支持部に接した状態を示す図
【図１０】図４に示す一対のスライダの変形例を示す図
【発明を実施するための形態】
【００１０】
以下に、本発明の実施の形態に係る機器を図面に基づいて詳細に説明する。なお、この実施の形態によりこの発明が限定されるものではない。
【００１１】
実施の形態．
図１は本発明の実施の形態に係る機器の外観図であり、具体的には、プログラマブルロジックコントローラやサーボアンプなどの機器の外観図を示す。図２は図１に示す機器が支持レールに固定された状態を示す図である。図３は図２に示す機器を側面から見た図である。図４は図３に示す一対のスライダの拡大図である。
【００１２】
以下、図１から図４を参照して本発明の実施の形態に係る機器１００の構成を説明する。
【００１３】
機器１００は、図示しない回路部品を内蔵する筐体１０１と、筐体１０１の背面１０１ａに配置される一対のスライダ１ａ，１ｂとを備える。背面１０１ａは長方形状である。
【００１４】
スライダ１ａ，１ｂは、それぞれが板形状である。スライダ１ａは背面１０１ａの長手方向の一端側に配置され、スライダ１ｂは背面１０１ａの長手方向の他端側に配置される。
【００１５】
スライダ１ａ，１ｂは、背面１０１ａにおいて支持レール２００の幅方向Ａに一定距離隔てて互いに対向して配置される。支持レール２００は、細長い金属板を断面が突形状になるように屈曲成形した長尺状のレールである。
【００１６】
支持レール２００の一例としてはドイツ工業規格（Ｄｅｕｔｓｃｈｅ  Ｉｎｄｕｓｔｒｉｅ  Ｎｏｒｍｅｎ：ＤＩＮ）のＤＩＮレールが挙げられる。
【００１７】
支持レール２００は、支持レール２００の幅方向Ａの両側に、係合辺２００ａ，２００ｂを有する。係合辺２００ａ，２００ｂは、それぞれが支持レール２００の長手方向に沿って、互いに平行に設けられる。
【００１８】
支持レール２００の幅Ｄは、幅方向Ａにおける係合辺２００ａの端部から係合辺２００ｂの端部までの幅に相当する。
【００１９】
幅方向Ａは、支持レール２００が伸びる方向と直交する方向に対して、係合辺２００ａと係合辺２００ｂとがそれぞれ伸びる方向である。
【００２０】
スライダ１ａ，１ｂは、それぞれが支持レール２００を挟み込む方向に付勢された状態で、支持レール２００の幅方向Ａに移動可能に配置される。スライダ１ａ，１ｂの付勢手段の例としては、押しばね、トーションばね、または板ばねといった、弾性体の復元力を利用したばね機構が考えられる。具体的にはスライダ１ａ，１ｂと筐体１０１の背面１０１ａとの間にばね機構が配置され、スライダ１ａ，１ｂは、ばね機構に蓄勢された復元力により、それぞれが支持レール２００を挟み込む方向に押されている。
【００２１】
スライダ１ａは、スライダ１ｂと対向する対向面４ａと、対向面４ａに設置される突起部２ａとを有する。
【００２２】
対向面４ａは、スライダ１ａ，１ｂが対向する方向と直交する方向に平行な面である。
【００２３】
突起部２ａは、対向面４ａからスライダ１ａ，１ｂの間の空間３００に向かって突出する。すなわち、対向面４ａから他方のスライダ１ｂに向かって突出する。
【００２４】
対向面４ａにおいて、スライダ１ａの側面１ａ１と突起部２ａとの間にガイド部３ａが設けられる。側面１ａ１は、スライダ１ａの筐体１０１側とは反対側の側面である。
【００２５】
ガイド部３ａは、支持レール２００の係合辺２００ａを、側面１ａ１から突起部２ａ側へ案内する。
【００２６】
突起部２ａは、傾斜面２ａ１と、先端部２ａ２と、支持部２ａ３とを有する。
【００２７】
傾斜面２ａ１は、対向面４ａに対して、一定の角度だけ傾斜する平面である。具体的には、傾斜面２ａ１は、対向面４ａから離れるに従い筐体１０１の背面１０１ａに近づくように形成されている。
【００２８】
傾斜面２ａ１は、ガイド部３ａから先端部２ａ２側へ係合辺２００ａを案内する。
【００２９】
支持部２ａ３は、突起部２ａの背面１０１ａ側に形成され、支持レール２００の係合辺２００ａの端部を支持する。
【００３０】
スライダ１ｂは、スライダ１ａと対向する対向面４ｂと、対向面４ｂに設置される突起部２ｂとを有する。
【００３１】
対向面４ｂは、スライダ１ａ，１ｂが対向する方向と直交する方向と平行な面である。
【００３２】
突起部２ｂは、対向面４ｂからスライダ１ａ，１ｂの間の空間３００に向かって突出する。すなわち、対向面４ｂから他方のスライダ１ａに向かって突出する。
【００３３】
対向面４ｂにおいて、スライダ１ｂの側面１ｂ１と突起部２ｂとの間にガイド部３ｂが設けられる。側面１ｂ１は、スライダ１ｂの筐体１０１側とは反対側の側面である。
【００３４】
ガイド部３ｂは、支持レール２００の係合辺２００ｂを、側面１ｂ１から突起部２ｂ側へ案内する。
【００３５】
突起部２ｂは、傾斜面２ｂ１と、先端部２ｂ２と、支持部２ｂ３とを有する。
【００３６】
傾斜面２ｂ１は、対向面４ｂに対して、一定の角度だけ傾斜する平面である。具体的には、傾斜面２ｂ１は、対向面４ｂから離れるに従い筐体１０１の背面１０１ａに近づくように形成されている。
【００３７】
傾斜面２ｂ１は、ガイド部３ｂから先端部２ｂ２側へ係合辺２００ｂを案内する。
【００３８】
支持部２ｂ３は、突起部２ｂの背面１０１ａ側に形成され、支持レール２００の係合辺２００ｂの端部を支持する。
【００３９】
図４には、図２に示す支持レール２００へ機器１００が固定される前のスライダ１ａ，１ｂの状態が示される。
【００４０】
距離Ｄ１は、ガイド部３ａ，３ｂの間の幅に相当し、図２に示す支持レール２００の幅Ｄ以上である。
【００４１】
距離Ｄ２は、先端部２ａ２から先端部２ｂ２までの幅に相当する。距離Ｄ２は距離Ｄ１よりも狭い。
【００４２】
距離Ｄ３は、支持部２ａ３から支持部２ｂ３までの幅に相当する。距離Ｄ３は距離Ｄ２よりも広く、かつ、距離Ｄ１よりも狭い。
【００４３】
以下に図５から図９を用いて、支持レール２００へ筐体１０１が取付けられるときのスライダ１ａ，１ｂの動作を説明する。
【００４４】
図５は図１に示すスライダを支持レールに接触させながら筐体を矢印の方向へ移動させている状態を示す図である。図６は図５に示す一対のガイド部の間に支持レールが嵌った状態を示す図である。図７は図６に示す支持レールが傾斜面に沿って筐体側に案内される状態を示す図である。図８は図７に示す支持レールが突起部の先端部に接した状態を示す図である。図９は図８に示す支持レールが突起部の支持部に接した状態を示す図である。
【００４５】
図５に示すようにスライダ１ａの側面１ａ１に支持レール２００の係合辺２００ａが接している。
【００４６】
この状態で筐体１０１を矢印の方向、すなわち支持レール２００の幅方向Ａへ移動させると、図６に示すように支持レール２００は、ガイド部３ａとガイド部３ｂとの間に嵌合した状態となる。
【００４７】
従って、支持レール２００の係合辺２００ａがガイド部３ａと対向した状態となり、支持レール２００の係合辺２００ｂがガイド部３ｂと対向した状態となる。これにより支持レール２００の幅方向Ａにおける筐体１０１の位置決めがなされる。
【００４８】
支持レール２００の幅方向Ａにおける筐体１０１の位置決めがなされることにより、筐体１０１の設置者は、支持レール２００がガイド部３ａとガイド部３ｂとの間に嵌合した状態となったことを知ることができる。
【００４９】
図７に示すように筐体１０１が支持レール２００側に押されると、支持レール２００が筐体１０１の背面１０１ａに近づき、係合辺２００ａ，２００ｂが傾斜面２ａ１，２ｂ１に接する。さらに筐体１０１が支持レール２００側に押されることにより、支持レール２００は、傾斜面２ａ１，２ｂ１上を滑りながら筐体１０１の背面１０１ａに近づく。
【００５０】
傾斜面２ａ１，２ｂ１が傾斜していることにより、支持レール２００が筐体１０１の背面１０１ａに近づくにつれて、スライダ１ａ，１ｂは互いに離れる方向に移動する。
【００５１】
さらに筐体１０１が支持レール２００側に押されることにより、図８に示すように係合辺２００ａ，２００ｂは、突起部２ａ，２ｂの先端部２ａ２，２ｂ２に接する。
【００５２】
さらに筐体１０１が支持レール２００側に押されることにより、図９に示すように係合辺２００ａ，２００ｂは、支持部２ａ３，２ｂ３に接する。
【００５３】
図９に示す状態において、係合辺２００ａにはスライダ１ａの支持部２ａ３からの付勢力が作用し、係合辺２００ｂにはスライダ１ｂの支持部２ｂ３からの付勢力が作用する。また、係合辺２００ａは筐体１０１の背面１０１ａと突起部２ａとの間に挟まれた状態となり、係合辺２００ｂは筐体１０１の背面１０１ａと突起部２ｂとの間に挟まれた状態となる。これにより筐体１０１は支持レール２００に固定された状態となる。
【００５４】
このように本実施の形態に係る機器１００によれば、スライダ１ａ，１ｂにガイド部３ａ，３ｂを設けることにより、支持レール２００の幅方向Ａにおける筐体１０１の位置決めがなされる。従って、筐体１０１の設置者は、背面１０１ａ側の空間３００と支持レール２００との位置関係を目視確認しなくても、筐体１０１を支持レール２００へ取付けることができる。
【００５５】
また、スライダ１ａ，１ｂにガイド部３ａ，３ｂを設けることにより、機器１００を傾けることなく機器１００の取付けが可能になる。従って、支持レール２００が固定されているラックまたは壁面といった構造物に機器１００が干渉することがない。
【００５６】
その結果、機器１００の設置作業が容易になると共に、機器１００の設置に伴う作業時間が短縮され作業コストの低減を図ることができる。
【００５７】
また突起部２ａ，２ｂは、ガイド部３ａ，３ｂから先端部２ａ２，２ｂ２に向けて支持レール２００を案内する傾斜面２ａ１，２ｂ１を有する。この構成により、ガイド部３ａ，３ｂから先端部２ａ２，２ｂ２にかけて支持レール２００をスムーズに案内することができ、傾斜面２ａ１，２ｂ１がない場合に比べて機器１００の設置作業がより一層容易化される。
【００５８】
図１０は図４に示す一対のスライダの変形例を示す図である。
【００５９】
図１０に示す機器１００−１はスライダ１ａ−１，１ｂ−１を備える。図４に示すスライダ１ａ，１ｂとの違いは、スライダ１ａ−１はガイド部３ａに凹部３ａ１を有し、スライダ１ｂ−１はガイド部３ｂに凹部３ｂ１を有することである。
【００６０】
凹部３ａ１は、図２に示す支持レール２００の幅方向Ａにおける一端部である係合辺２００ａが嵌る形状である。
【００６１】
凹部３ａ１の底面３ａ１１から突起部２ａの先端部２ａ２までの間には、平面状の傾斜面２ａ１が形成される。
【００６２】
凹部３ｂ１は、図２に示す支持レール２００の幅方向Ａにおける他端部である係合辺２００ｂが嵌る形状である。
【００６３】
凹部３ｂ１の底面３ｂ１１から突起部２ｂの先端部２ｂ２までの間には、平面状の傾斜面２ｂ１が形成される。
【００６４】
図１０に示す機器１００−１を図２に示す支持レール２００に固定する際、図５から図９と同様の手順で行われる。
【００６５】
図６に示すように、係合辺２００ａがガイド部３ａと対向し、係合辺２００ｂがガイド部３ｂと対向した状態となったとき、図６に示す支持レール２００の係合辺２００ａは、図１０に示す凹部３ａ１に係り止めされる。
【００６６】
これにより機器１００−１が支持レール２００から離れる方向への移動が制限され、機器１００−１が支持レール２００から外れて落下することを防止できる。
【００６７】
また凹部３ａ１と先端部２ａ２までの間に平面上の傾斜面２ａ１が形成されているため、機器１００−１を支持レール２００側へ押し込むだけで、支持レール２００を凹部３ａ１から先端部２ａ２へ案内することができる。
【００６８】
なお本実施の形態では、２つのスライダの双方が支持レール２００の幅方向Ａに移動可能に配置されている例を説明したが、機器は、２つのスライダの一方のみが支持レールの幅方向Ａに移動可能であってよい。このように構成しても上述した種々の作用および効果と同様の作用および効果を得ることができる。
【００６９】
また本実施の形態では、背面１０１ａが長方形状の筐体１０１に２つのスライダが配置されている例を説明した。すなわち背面１０１ａの長辺が支持レール２００と交差するように、筐体１０１を固定するように２つのスライダが背面１０１ａの長手方向の一端側と他端側とに配置される。ただし２つのスライダの配置位置は実施例に限定されず、背面１０１ａの短辺が支持レール２００と交差するように、２つのスライダが背面１０１ａの短辺方向の一端側と他端側とに配置される構成でもよい。
【００７０】
また本実施の形態では、一対のスライダのそれぞれが、各１個ずつのスライド部材を備える場合を示したが、例えば、いずれも複数個のスライド部材を並べて構成しても良く、又、片方が１個、他方が２個のスライド部材からなる場合なども含み、又、このように並べて設けられた複数個のスライド部材は、互いに離間していても良く、間に他の部材が存在しても構わない。
【００７１】
以上の実施の形態においては、プログラマブルロジックコントローラやサーボアンプなどの機器を例に挙げて説明をしたが、本願発明は、それらに限定されることは無く、電磁開閉器などの電機機器を含んだ機器一般に適用することが可能である。
【００７２】
上述の実施の形態においては、支持レールの幅方向に移動可能なスライダを例にとり説明したが、支持レールを挟み込むように配置された一対の部材の対抗面からそれぞれ突出する突起部の少なくとも一方が、支持レールの幅方向に移動可能、すなわち、支持レールの幅方向に収縮可能としても良い。更に、支持レールの幅方向に移動可能なスライダに当該収縮可能な突起部を設けても良い。
【００７３】
すなわち、一対の部材のそれぞれは、支持レールを挟み込む面から突出する突起部と、挟み込む面において、突起部より筐体から離れた側に設けられ、支持レールを突起部側へ案内するガイド部と、を有し、かつ、一対の部材の少なくとも一方、又は、当該一対の部材のそれぞれに設けられた突起部の少なくとも一方が、支持レールの幅方向に移動可能である。
【００７４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７５】
１ａ，１ａ−１，１ｂ，１ｂ−１  スライダ、１ａ１，１ｂ１  側面、２ａ，２ｂ  突起部、２ａ１，２ｂ１  傾斜面、２ａ２，２ｂ２  先端部、２ａ３，２ｂ３  支持部、３ａ，３ｂ  ガイド部、３ａ１，３ｂ１  凹部、３ａ１１，３ｂ１１  底面、４ａ，４ｂ  対向面、１００，１００−１  機器、１０１  筐体、１０１ａ  背面、２００  支持レール、２００ａ，２００ｂ  係合辺、３００  空間。
【図１】
2017081815.tif 000003
【図２】
2017081815.tif 000004
【図３】
2017081815.tif 000005
【図４】
2017081815.tif 000006
【図５】
2017081815.tif 000007
【図６】
2017081815.tif 000008
【図７】
2017081815.tif 000009
【図８】
2017081815.tif 000010
【図９】
2017081815.tif 000011
【図１０】
2017081815.tif 000012
【手続補正書】
【提出日】平成28年10月12日(2016.10.12)
【手続補正１】
【補正対象書類名】特許請求の範囲
【補正対象項目名】全文
【補正方法】変更
【補正の内容】
【特許請求の範囲】
【請求項１】
支持レールに取付けられる機器であって、
前記機器の筐体において前記支持レールを挟み込むように互いに対向して配置され、それぞれの少なくとも一方が前記支持レールの幅方向に移動可能に配置される一対の板形状のスライダを備え、
前記一対のスライダのそれぞれは、
互いに向かい合う対向面と、
前記対向面から他方のスライダに向かって突出する突起部と、
前記対向面において前記スライダの前記筐体側とは反対側の側面と前記突起部との間に設けられ、前記支持レールを前記側面から前記突起部側へ案内するガイド部と、
前記突起部より前記筐体に近い側に設けられた支持部と、を有し、
当該支持部間の幅は、前記突起部間の幅より広く、かつ前記ガイド部間の幅より狭いことを特徴とする機器。
【請求項２】
支持レールに取付けられる機器であって、
前記機器の筐体において前記支持レールを挟み込むように配置された一対の部材を備え、
前記一対の部材のそれぞれは、
前記支持レールを挟み込む面から突出する突起部と、
前記挟み込む面において、前記突起部より前記筐体から離れた側に設けられ、前記支持レールを前記突起部側へ案内するガイド部と、
前記突起部より前記筐体に近い側に設けられた支持部と、を有し、
前記一対の部材の少なくとも一方、又は、当該一対の部材のそれぞれに設けられた前記突起部の少なくとも一方が、前記支持レールの幅方向に移動可能であり、
前記支持部間の幅は、前記突起部間の幅より広く、かつ前記ガイド部間の幅より狭いことを特徴とする機器。
【請求項３】
支持レールに取付けられる機器であって、
前記機器の筐体において前記支持レールを挟み込むように互いに対向して配置され、それぞれの少なくとも一方が前記支持レールの幅方向に移動可能に配置される一対の板形状のスライダを備え、
前記一対のスライダのそれぞれは、
互いに向かい合う対向面と、
前記対向面から他方のスライダに向かって突出する突起部と、
前記対向面において前記スライダの前記筐体側とは反対側の側面と前記突起部との間に設けられ、前記支持レールを前記側面から前記突起部側へ案内するガイド部と、を有し、
前記ガイド部は、前記支持レールの幅方向における端部が嵌る形状の凹部を有することを特徴とする機器。
【請求項４】
前記一対のスライダのそれぞれは、前記突起部より前記筐体に近い側に設けられた支持部を有し、
当該支持部間の幅は、前記突起部間の幅より広く、かつ前記ガイド部間の幅より狭いことを特徴とする請求項１から請求項３のいずれか１項に記載の機器。
【請求項５】
支持レールに取付けられる機器であって、
前記機器の筐体において前記支持レールを挟み込むように配置された一対の部材を備え、
前記一対の部材のそれぞれは、
前記支持レールを挟み込む面から突出する突起部と、
前記挟み込む面において、前記突起部より前記筐体から離れた側に設けられ、前記支持レールを前記突起部側へ案内するガイド部と、を有し、
かつ、前記一対の部材の少なくとも一方、又は、当該一対の部材のそれぞれに設けられた前記突起部の少なくとも一方が、前記支持レールの幅方向に移動可能であり、
前記ガイド部は、前記支持レールの幅方向における端部が嵌る形状の凹部を有することを特徴とする機器。
【請求項６】
前記一対の部材のそれぞれは、前記突起部より前記筐体に近い側に設けられた支持部を有し、
当該支持部間の幅は、前記突起部間の幅より広く、かつ前記ガイド部間の幅より狭いことを特徴とする請求項５に記載の機器。
【手続補正２】
【補正対象書類名】明細書
【補正対象項目名】０００７
【補正方法】変更
【補正の内容】
【０００７】
上述した課題を解決し、目的を達成するために、本発明の機器は、支持レールに取付けられる機器であって、機器の筐体において支持レールを挟み込むように互いに対向して配置され、それぞれの少なくとも一方が支持レールの幅方向に移動可能に配置される一対の板形状のスライダを備える。一対のスライダのそれぞれは、互いに向かい合う対向面と、対向面から他方のスライダに向かって突出する突起部と、対向面においてスライダの筐体側とは反対側の側面と突起部との間に設けられ、支持レールを側面から突起部側へ案内するガイド部と、前記突起部より前記筐体に近い側に設けられた支持部と、を有し、当該支持部間の幅は、前記突起部間の幅より広く、かつ前記ガイド部間の幅より狭いことを特徴とする。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
支持レールに取付けられる機器であって、
前記機器の筐体において前記支持レールを挟み込むように互いに対向して配置され、それぞれの少なくとも一方が前記支持レールの幅方向に移動可能に配置される一対の板形状のスライダを備え、
前記一対のスライダのそれぞれは、
互いに向かい合う対向面と、
前記対向面から他方のスライダに向かって突出する突起部と、
前記対向面において前記スライダの前記筐体側とは反対側の側面と前記突起部との間に設けられ、前記支持レールを前記側面から前記突起部側へ案内するガイド部と、
前記突起部より前記筐体に近い側に設けられた支持部と、を有し、
当該支持部間の幅は、前記突起部間の幅より広く、かつ前記ガイド部間の幅より狭いことを特徴とする機器。
【請求項２】
支持レールに取付けられる機器であって、
前記機器の筐体において前記支持レールを挟み込むように配置された一対の部材を備え、
前記一対の部材のそれぞれは、
前記支持レールを挟み込む面から突出する突起部と、
前記挟み込む面において、前記突起部より前記筐体から離れた側に設けられ、前記支持レールを前記突起部側へ案内するガイド部と、
前記突起部より前記筐体に近い側に設けられた支持部と、を有し、
前記一対の部材の少なくとも一方、又は、当該一対の部材のそれぞれに設けられた前記突起部の少なくとも一方が、前記支持レールの幅方向に移動可能であり、
前記支持部間の幅は、前記突起部間の幅より広く、かつ前記ガイド部間の幅より狭いことを特徴とする機器。
【請求項３】
支持レールに取付けられる機器であって、
前記機器の筐体において前記支持レールを挟み込むように互いに対向して配置され、それぞれの少なくとも一方が前記支持レールの幅方向に移動可能に配置される一対の板形状のスライダを備え、
前記一対のスライダのそれぞれは、
互いに向かい合う対向面と、
前記対向面から他方のスライダに向かって突出する突起部と、
前記対向面において前記スライダの前記筐体側とは反対側の側面と前記突起部との間に設けられ、前記支持レールを前記側面から前記突起部側へ案内するガイド部と、を有し、
前記ガイド部は、前記支持レールの幅方向における端部が嵌る形状の凹部を有することを特徴とする機器。
【請求項４】
前記一対のスライダのそれぞれは、前記突起部より前記筐体に近い側に設けられた支持部を有し、
当該支持部間の幅は、前記突起部間の幅より広く、かつ前記ガイド部間の幅より狭いことを特徴とする請求項３に記載の機器。
【請求項５】
支持レールに取付けられる機器であって、
前記機器の筐体において前記支持レールを挟み込むように配置された一対の部材を備え、
前記一対の部材のそれぞれは、
前記支持レールを挟み込む面から突出する突起部と、
前記挟み込む面において、前記突起部より前記筐体から離れた側に設けられ、前記支持レールを前記突起部側へ案内するガイド部と、を有し、
かつ、前記一対の部材の少なくとも一方、又は、当該一対の部材のそれぞれに設けられた前記突起部の少なくとも一方が、前記支持レールの幅方向に移動可能であり、
前記ガイド部は、前記支持レールの幅方向における端部が嵌る形状の凹部を有することを特徴とする機器。
【請求項６】
前記一対の部材のそれぞれは、前記突起部より前記筐体に近い側に設けられた支持部を有し、
当該支持部間の幅は、前記突起部間の幅より広く、かつ前記ガイド部間の幅より狭いことを特徴とする請求項５に記載の機器。
【国際調査報告】
2017081815.tif 000013
2017081815.tif 000014
2017081815.tif 000015